(57)【要約】【課題】医師が所望する医用画像の検索を容易すること。【解決手段】医用画像管理システムに設置される画像表示装置３０において、リスト作成部３０ｄは、医用画像データベース２０ａから読み出した同一患者の複数の医用画像のうち、医師により指定された医用画像群を関連付けたリストを作成する。そして、格納制御部３０ｅは、リスト作成部３０ｄによって作成されたリストに基づく医用画像データを医用画像データベース２０ａに格納するように制御する。【選択図】図２
2011254907.tif 000002
【特許請求の範囲】
【請求項１】
医用画像を収集する医用画像診断装置と、前記医用画像診断装置により収集された前記医用画像を保管する医用画像保管装置と、前記医用画像保管装置にて保管された前記医用画像を表示する画像表示装置とを有する医用画像管理システムであって、
前記画像表示装置は、
前記医用画像保管装置から読み出した同一被検体の複数の医用画像のうち、操作者により指定された医用画像群を関連付けたリストを作成するリスト作成手段と、
前記リスト作成手段によって作成された前記リストに基づくデータを前記医用画像保管装置に格納するように制御する格納制御手段と、
を備えたことを特徴とする医用画像管理システム。
【請求項２】
前記医用画像診断装置は、
前記格納制御手段の制御により前記医用画像保管装置に格納された前記リストに基づくデータにより対応付けられる医用画像群を自装置の表示部にて一覧表示するように制御する表示制御手段を備えたことを特徴とする請求項１に記載の医用画像管理システム。
【請求項３】
医用画像診断装置により収集された医用画像を保管する医用画像保管装置から読み出した同一被検体の複数の医用画像のうち、操作者により指定された医用画像群を関連付けたリストを作成するリスト作成手段と、
前記リスト作成手段によって作成された前記リストに基づくデータを前記医用画像保管装置に格納するように制御する格納制御手段と、
を備えたことを特徴とする画像表示装置。
【請求項４】
前記格納制御手段の制御により前記医用画像保管装置に格納された前記リストに基づくデータにより対応付けられる医用画像群を自装置の表示部にて一覧表示するように制御する表示制御手段をさらに備えたことを特徴とする請求項３に記載の画像表示装置。
【請求項５】
医用画像を保管する医用画像保管装置から読み出した同一被検体の複数の医用画像のうち、操作者により指定された医用画像群を関連付けたリストを作成するリスト作成手段と、
前記リスト作成手段によって作成された前記リストに基づくデータを前記医用画像保管装置に格納するように制御する格納制御手段と、
を備えたことを特徴とする医用画像診断装置。
【請求項６】
前記格納制御手段の制御により前記医用画像保管装置に格納された前記リストに基づくデータにより対応付けられる医用画像群を自装置の表示部にて一覧表示するように制御する表示制御手段をさらに備えたことを特徴とする請求項５に記載の医用画像診断装置。
【発明の詳細な説明】
【技術分野】
【０００１】
この発明は、医用画像管理システム、画像表示装置および医用画像診断装置に関する。
【背景技術】
【０００２】
近年、画像保管通信システム（ＰＡＣＳ：Picture Archiving and Communication System）は、超音波診断装置、Ｘ線ＣＴ（Computed  Tomography）装置、ＭＲＩ（Magnetic  Resonance  Imaging）装置といった様々な医用画像診断装置により収集された膨大量の医用画像を管理するためのシステムとして、医療機関において導入が進められている。
【０００３】
ＰＡＣＳは、医用画像診断装置により収集された医用画像を保管する医用画像保管装置と、医用画像保管装置に保管された医用画像を読み出して表示する画像ビューアである画像表示装置とを有する。ここで、医用画像診断装置において収集され、医用画像保管装置に保管される各医用画像は、ＤＩＣＯＭ（Digital Imaging and Communications in Medicine）に則った画像フォーマットに統一されている。
【０００４】
かかる画像フォーマットでは、画像データとともに、患者名、患者ＩＤ、検査ＩＤなどの付帯情報が付与されている。また、医用画像診断装置、医用画像保管装置および画像表示装置の間における医用画像などの情報の送受信は、ＤＩＣＯＭに則った通信プロトコルにより行なわれている。なお、患者の個人情報保護のために、画像表示装置の操作者に応じて、付帯情報の出力表示を行なうか否かを判定するＰＡＣＳも知られている（例えば、特許文献１を参照）。
【０００５】
ＰＡＣＳは、例えば、各診断科目の医師が集まって治療計画を決める打ち合わせ（カンファレンスと呼ばれる）において用いられる。カンファレンスにおいて、画像表示装置は、例えば、医師により指定された患者ＩＤを医用画像保管装置に送信する。医用画像保管装置は、受信した患者ＩＤが対応付けられている医用画像すべてを画像表示装置に送信し、画像表示装置は、受信した医用画像を表示する。これにより、医師は、治療を行なう患者に対して過去に行なわれた検査により撮影された各種医用画像を参照して治療計画を立案することができる。
【０００６】
ところで、カンファレンスにより決定される治療計画には、治療支援のために医用画像診断装置を用いるものもある。例えば、穿刺やラジオ波焼灼治療（ＲＦＡ：Radiofrequency Ablation）を行なう場合、医師は、超音波診断装置にて生成表示された超音波画像を参照しながら治療を行なう。その際、医師は、治療を確実に行なうために、治療計画を立案するために参照した医用画像を超音波診断装置においても、再度参照することを要望する場合がある。
【０００７】
このため、ＰＡＣＳに接続されている超音波診断装置などの医用画像診断装置には、医用画像保管装置から転送された各種医用画像を表示する機能が備えられている。
【先行技術文献】
【特許文献】
【０００８】
【特許文献１】特開２００７−１４８５１０号公報
【発明の概要】
【発明が解決しようとする課題】
【０００９】
しかし、医用画像保管装置においては、治療対象となる患者の各種医用画像が検査別に保管されている。このため、医用画像診断装置の操作者は、医師が所望する個々の医用画像を医用画像保管装置から検索する必要があった。
【００１０】
また、手術室に画像表示装置を設置して、医師が所望する個々の医用画像を画像表示装置にて表示させる場合であっても、画像表示装置の操作者は、医師が所望する個々の医用画像を医用画像保管装置から検索する必要があった。
【００１１】
このように、上記した従来の技術は、医用画像保管装置にて保管されている医用画像の中から、医師が所望する医用画像を容易に検索することが困難であるという課題があった。
【００１２】
そこで、この発明は、上述した従来技術の課題を解決するためになされたものであり、医師が所望する医用画像の検索を容易することが可能となる医用画像管理システム、画像表示装置および医用画像診断装置を提供することを目的とする。
【課題を解決するための手段】
【００１３】
上述した課題を解決し、目的を達成するために、請求項１記載の本発明は、医用画像を収集する医用画像診断装置と、前記医用画像診断装置により収集された前記医用画像を保管する医用画像保管装置と、前記医用画像保管装置にて保管された前記医用画像を表示する画像表示装置とを有する医用画像管理システムであって、前記画像表示装置は、前記医用画像保管装置から読み出した同一被検体の複数の医用画像のうち、操作者により指定された医用画像群を関連付けたリストを作成するリスト作成手段と、前記リスト作成手段によって作成された前記リストに基づくデータを前記医用画像保管装置に格納するように制御する格納制御手段と、を備えたことを特徴とする。
【００１４】
また、請求項３記載の本発明は、画像表示装置が、医用画像診断装置により収集された医用画像を保管する医用画像保管装置から読み出した同一被検体の複数の医用画像のうち、操作者により指定された医用画像群を関連付けたリストを作成するリスト作成手段と、前記リスト作成手段によって作成された前記リストに基づくデータを前記医用画像保管装置に格納するように制御する格納制御手段と、を備えたことを特徴とする。
【００１５】
また、請求項５記載の本発明は、医用画像診断装置が、医用画像を保管する医用画像保管装置から読み出した同一被検体の複数の医用画像のうち、操作者により指定された医用画像群を関連付けたリストを作成するリスト作成手段と、前記リスト作成手段によって作成された前記リストに基づくデータを前記医用画像保管装置に格納するように制御する格納制御手段と、を備えたことを特徴とする。
【発明の効果】
【００１６】
請求項１、３または５の発明によれば、医師が所望する医用画像の検索を容易することが可能となる。
【図面の簡単な説明】
【００１７】
【図１】図１は、本実施例に係る医用画像管理システムの構成を説明するための図である。
【図２】図２は、本実施例に係る画像表示装置の構成を説明するための図である。
【図３】図３は、医用画像データベースが記憶する医用画像データの構造を説明するための図である。
【図４】図４は、リスト作成部を説明するための図である。
【図５】図５は、格納制御部を説明するための図である。
【図６】図６は、格納制御部が実行する制御処理の変形例を説明するための図である。
【図７】図７は、本実施例に係る医用画像診断装置の構成を説明するための図である。
【図８】図８は、表示制御部を説明するための図である。
【図９】図９は、本実施例に係る画像表示装置の処理を説明するためのフローチャートである。
【図１０】図１０は、本実施例に係る医用画像診断装置の処理を説明するためのフローチャートである。
【発明を実施するための形態】
【００１８】
以下に添付図面を参照して、この発明に係る医用画像管理システム、画像表示装置および医用画像診断装置の好適な実施例を詳細に説明する。なお、以下に示す実施例によって本発明が限定されるものではない。また、以下では、本発明に係る医用画像管理システムを実施例として説明する。
【実施例】
【００１９】
まず、本実施例に係る医用画像管理システムの構成について、図１を用いて説明する。図１は、本実施例に係る医用画像管理システムの構成を説明するための図である。
【００２０】
図１に示すように、本実施例に係る医用画像管理システムは、医用画像診断装置１０と、医用画像保管装置２０と、画像表示装置３０とを有し、各装置は、ネットワーク１を介して接続されている。例えば、本実施例に係る医用画像管理システムは、医用機関において医用画像診断装置１０により収集された各種医用画像を管理するために設置される。
【００２１】
医用画像診断装置１０は、超音波診断装置、Ｘ線ＣＴ（Computed  Tomography）装置、ＭＲＩ（Magnetic  Resonance  Imaging）装置、Ｘ線診断装置、核医学イメージング装置などの装置である。なお、図１には、一つの医用画像診断装置１０のみ示しているが、実際には、複数の医用画像診断装置１０がネットワーク１に接続されている。すなわち、ネットワーク１には、様々な種類からなる複数台の医用画像診断装置１０が接続されている。
【００２２】
また、医用画像診断装置１０は、検査ごとに患者の医用画像を収集する。具体的には、医用画像診断装置１０は、ＤＩＣＯＭ（Digital Imaging and Communications in Medicine）に則った画像フォーマットに統一した医用画像を収集する。
【００２３】
医用画像保管装置２０は、医用画像診断装置１０が収集した医用画像を保管する装置であり、医用画像診断装置１０からＤＩＣＯＭに則った通信プロトコルで送信された医用画像を、医用画像データベース２０ａに格納する。
【００２４】
画像表示装置３０は、医用画像保管装置２０にて保管された医用画像を表示するための画像ビューアである。すなわち、画像表示装置３０は、医用画像を医用画像データベース２０ａから読み出して表示するための読影機能を有する。なお、図１には、一つの画像表示装置３０のみ示しているが、実際には、複数の画像表示装置３０がネットワーク１に接続されている。画像表示装置３０は、自装置の操作者が指定した医用画像の転送要求を医用画像保管装置２０に対して送信し、医用画像保管装置２０から転送された医用画像を受信し、受信した医用画像を表示する。ここで、画像表示装置３０の操作者は、医用画像を読影する医師や、治療計画を決めるカンファレンスに集まった各診断科目の医師である。なお、画像表示装置３０と医用画像保管装置２０との間のデータ送受信も、ＤＩＣＯＭに則った通信プロトコルにより実行される。
【００２５】
すなわち、医用画像保管装置２０および画像表示装置３０は、ＰＡＣＳ（Picture Archiving and Communication System）を構成する装置である。
【００２６】
そして、本実施例に係る医用画像管理システムは、医用画像データベース２０ａにて保管されている医用画像の中から、医師が所望する医用画像の検索を容易することが可能となるように、画像表示装置３０が構成されている。
【００２７】
以下、画像表示装置３０が実行する処理について、図２などを用いて説明する。図２は、本実施例に係る画像表示装置の構成を説明するための図である。
【００２８】
図２に示すように、本実施例に係る画像表示装置３０は、入力部３０ａと、表示部３０ｂと、通信部３０ｃと、リスト作成部３０ｄと、格納制御部３０ｅとを有する。
【００２９】
入力部３０ａは、画像表示装置３０の操作者からの各種設定情報を受け付けるためのマウスやキーボードなどを有する。具体的には、入力部３０ａは、操作者からの医用画像の表示要求を受け付ける。
【００３０】
表示部３０ｂは、操作者から表示要求に応じて医用画像データベース２０ａから転送された医用画像を表示したり、操作者からのコマンドを受け付けるためのＧＵＩ（Graphical User Interface）を表示したりするためのモニタを有する。
【００３１】
通信部３０ｃは、医用画像保管装置２０や医用画像診断装置１０との間でデータの送受信を行ない、具体的には、ＤＩＣＯＭ規格に則った通信プロトコルにより、医用画像保管装置２０への医用画像の表示要求を送信したり、医用画像保管装置２０から医用画像を受信したりする。
【００３２】
ここで、医用画像データベース２０ａが記憶する医用画像データの構造について図３を用いて説明する。図３は、医用画像データベースが記憶する医用画像データの構造を説明するための図である。
【００３３】
図３に示すように、ＤＩＣＯＭに則った画像フォーマットでは、医用画像データは、医用画像のデジタルデータである画像データに、当該画像データの付帯情報がヘッダ部分に付与された構成となっている。付帯情報の一例としては、図３に示すように、患者ＩＤ、検査ＩＤ、分類ＩＤ、検査日、画像ＩＤなどが挙げられる。患者ＩＤは、患者を一意に特定するために付与される情報であり、検査ＩＤは、患者が受けた検査を一意に特定するために付与される情報である。また、分類ＩＤは、同一検査が複数項目にわたり行なわれるため、各項目の分類を一意に特定するために付与される情報である。また、検査日は、検査が行なわれた年月日を記録するために付与される情報である。また、画像ＩＤは、画像データを一意に特定するために付与される情報である。なお、付帯情報としては、図３に示す一例の他に、患者氏名や、画像データが格納される医用画像データベース２０ａのアドレスなどが挙げられる。
【００３４】
かかる構成からなる医用画像データから、例えば、本実施例では、治療計画を決めるカンファレンスに集まった各診断科目の医師により、治療計画立案の対象となる患者の患者ＩＤ（例えば、「０００１」）が操作者により入力部３０ａを介して入力される。これにより、通信部３０ｃは、「患者ＩＤ：０００１」を医用画像保管装置２０に送信し、医用画像保管装置２０は、「患者ＩＤ：０００１」を付帯情報として有するすべての医用画像データを、通信部３０ｃに転送する。そして、画像表示装置３０は、受信した医用画像データを、表示部３０ｂに表示する。
【００３５】
かかる処理により付帯情報とともに表示された医用画像を参照した医師は、治療計画を立案する。ここで、例えば、カンファレンスに集まった医師により、患者の肝臓に生じた腫瘍をラジオ波焼灼治療（ＲＦＡ：Radiofrequency Ablation）により焼灼すると決定されたとする。ここで、ＲＦＡは、超音波診断装置により収集された超音波画像を、当該超音波診断装置のモニタにて参照しながら行なわれる。その際、治療を行なう医師は、治療を確実に行なうために、治療計画を立案するために参照した医用画像群も治療時に用いられる超音波診断装置にて参照することを要望する。
【００３６】
このため、本実施例に係る画像表示装置３０においては、図２に示すリスト作成部３０ｄおよび格納制御部３０ｅの処理が、以下のように実行される。
【００３７】
リスト作成部３０ｄは、医用画像保管装置２０から読み出した同一患者の複数の医用画像のうち、医師により指定された医用画像群を関連付けたリストを作成する。図４は、リスト作成部を説明するための図である。
【００３８】
例えば、医用画像保管装置２０から読み出した「患者ＩＤ：０００１」の過去の検査にて収集された医用画像が、図４の（Ａ）に示すように、超音波画像１〜３、Ｘ線ＣＴ画像１およびＭＲＩ画像１の５つであるとする。なお、図４の（Ａ）に示す一例では、「患者ＩＤ：０００１」の「検査ＩＤ：検査１、分類ＩＤ：分類１」において、超音波画像１および２が収集され、「患者ＩＤ：０００１」の「検査ＩＤ：検査１、分類ＩＤ：分類２」において、Ｘ線ＣＴ画像１が収集されている。また、図４の（Ａ）に示す一例では、「患者ＩＤ：０００１」の「検査ＩＤ：検査２、分類ＩＤ：分類１」において、超音波画像３が収集され、「患者ＩＤ：０００１」の「検査ＩＤ：検査２、分類ＩＤ：分類３」において、ＭＲＩ画像１が収集されている。
【００３９】
ここで、超音波画像１〜３、Ｘ線ＣＴ画像１およびＭＲＩ画像１をそれぞれ参照した操作者が、治療時に参照したい医用画像群として、超音波画像３およびＸ線ＣＴ画像１を指定したとする。かかる場合、リスト作成部３０ｄは、図４の（Ｂ）に示すように、「患者ＩＤ：０００１、検査ＩＤ：検査２、分類ＩＤ：分類１」であった超音波画像３の付帯情報を、「患者ＩＤ：０００１、検査ＩＤ：検査３、分類ＩＤ：分類１」とする付帯情報に変換したリストを作成する。また、リスト作成部３０ｄは、図４の（Ｂ）に示すように、「患者ＩＤ：０００１、検査ＩＤ：検査１、分類ＩＤ：分類２」であったＸ線ＣＴ画像１の付帯情報を、「患者ＩＤ：０００１、検査ＩＤ：検査３、分類ＩＤ：分類２」とする付帯情報に変換したリストを作成する。
【００４０】
すなわち、リスト作成部３０ｄは、医師が指定した医用画像群の検査ＩＤを、未使用の新たな検査ＩＤに変換したリストを作成する。また、図には示さないが、リスト作成部３０ｄは、医師が指定した医用画像群の検査日を、仮想的にリスト作成日としたリストを作成する。
【００４１】
図２に戻って、格納制御部３０ｅは、リスト作成部３０ｄによって作成されたリストに基づくデータを医用画像保管装置２０の医用画像データベース２０ａに格納するように制御する。具体的には、格納制御部３０ｅは、通信部３０ｃを介してリストを医用画像保管装置２０に転送することで、例えば、図５に示すようなリストに基づく医用画像データを格納するように制御する。図５は、格納制御部を説明するための図である。
【００４２】
図５に示す一例では、格納制御部３０ｅは、医師が指定した超音波画像３およびＸ線ＣＴ画像１を複製し、複製した各画像データの付帯情報が、リスト作成部３０ｄによって作成されたリストとなる医用画像データを医用画像データベース２０ａに格納するように医用画像保管装置２０を制御する。
【００４３】
例えば、図５に示す一例では、「患者ＩＤ：０００１、検査ＩＤ：検査３、分類ＩＤ：分類１、・・・、検査日：リスト作成日、画像ＩＤ：ＵＳ３」の付帯情報が「超音波画像３（複製）」に付与された医用画像データが、医用画像データベース２０ａに新たに格納される。また、図５に示す一例では、「患者ＩＤ：０００１、検査ＩＤ：検査３、分類ＩＤ：分類２、・・・、検査日：リスト作成日、画像ＩＤ：ＣＴ１」の付帯情報が「Ｘ線ＣＴ画像１（複製）」に付与された医用画像データが、医用画像データベース２０ａに新たに格納される。すなわち、図５に示す一例では、リストに登録された医用画像を複製した後、複製した医用画像の画像データに、リストに記載されている情報が付帯情報として付与される。
【００４４】
このように、図５に示す一例では、格納制御部３０ｅの格納制御により、例えば、「患者ＩＤ：０００１」とともに、「検査ＩＤ：検査３」、または、「検査日：リスト作成日」を検索キーとすれば、医師が治療時に参照したい医用画像群に対応する医用画像データを検索可能となる。
【００４５】
あるいは、格納制御部３０ｅは、通信部３０ｃを介してリストを医用画像保管装置２０に転送することで、例えば、図６に示すような医用画像データを格納するように制御してもよい。図６は、格納制御部が実行する制御処理の変形例を説明するための図である。
【００４６】
図６に示す変形例では、格納制御部３０ｅは、医用画像の複製を行なわない。その代わり、格納制御部３０ｅは、リストに登録された医用画像の付帯情報に、リストに記載された「検査ＩＤ」を「リストＩＤ」として追加した医用画像データを医用画像データベース２０ａに格納するように医用画像保管装置２０を制御する。
【００４７】
すなわち、図６に示す一例では、リストに登録されていることを示す付帯情報を格納済みの医用画像データに追加する。これにより、「患者ＩＤ：０００１、検査ＩＤ：検査２、分類ＩＤ：分類１、・・・、検査日：２００９／１１／１０、画像ＩＤ：ＵＳ３」および「超音波画像３」から構成される医用画像データは、付帯情報として「リストＩＤ：検査３」が追加される。また、「患者ＩＤ：０００１、検査ＩＤ：検査１、分類ＩＤ：分類２、・・・、検査日：２００９／１１／９、画像ＩＤ：ＣＴ１」および「Ｘ線ＣＴ画像１」から構成される医用画像データは、付帯情報として「リストＩＤ：検査３」が追加される。
【００４８】
このように、図６に示す一例では、格納制御部３０ｅの格納制御により、例えば、「患者ＩＤ：０００１」とともに、「リストＩＤ：検査３」を検索キーとすれば、医師が治療時に参照したい医用画像群に対応する医用画像データを検索可能となる。
【００４９】
なお、格納制御部３０ｅが、図５または図６に示す格納制御のいずれを行なうかは、操作者により選択可能となっている。
【００５０】
続いて、本実施例に係る医用画像診断装置１０の構成について、図７を用いて説明する。図７は、本実施例に係る医用画像診断装置の構成を説明するための図である。
【００５１】
図７に示すように、本実施例に係る医用画像診断装置１０は、入力部１０ａと、表示部１０ｂと、通信部１０ｃと、表示制御部１０ｄとを有する。なお、図７には、本実施例にて用いられる処理部のみを示しており、実際には、医用画像診断装置１０は、医用画像を撮影するために用いられる様々な処理部および記憶部を有している。
【００５２】
入力部１０ａは、医用画像診断装置１０の操作者からの各種設定情報を受け付けるためのマウスやキーボードなどを有する。具体的には、入力部１０ａは、操作者からの医用画像の撮影要求や、医用画像データベース２０ａに対する医用画像データの転送要求を受け付ける。
【００５３】
表示部１０ｂは、医用画像診断装置１０が撮影した医用画像を表示したり、操作者の転送要求に応じて医用画像データベース２０ａから転送された医用画像を表示したり、操作者からのコマンドを受け付けるためのＧＵＩ（Graphical User Interface）を表示したりするためのモニタを有する。
【００５４】
通信部１０ｃは、医用画像保管装置２０や画像表示装置３０との間でデータの送受信を行ない、具体的には、ＤＩＣＯＭ規格に則った通信プロトコルにより、医用画像保管装置２０や画像表示装置３０との間で、医用画像データの送受信を行なう。
【００５５】
表示制御部１０ｄは、格納制御部３０ｅの制御により医用画像データベース２０ａに格納されたリストに基づく医用画像データにより対応付けられる医用画像群を表示部１０ｂにて一覧表示するように制御する。
【００５６】
ここで、従来では、例えば、超音波診断装置である医用画像診断装置１０の操作者から、「患者ＩＤ：０００１」の表示要求が入力部１０ａを介して入力された場合、通信部１０ｃは、「患者ＩＤ：０００１」を医用画像保管装置２０に転送し、医用画像保管装置２０は、「患者ＩＤ：０００１」が付帯情報に含まれる医用画像データを医用画像データベース２０ａから読み出して通信部１０ｃに転送する。
【００５７】
かかる処理により、従来では、例えば、図４の（Ａ）に示す超音波画像１〜３、Ｘ線ＣＴ画像１、ＭＲＩ画像１が、表示制御部１０ｄの制御により表示部１０ｂにて、検査ＩＤごとに一覧表示される。したがって、従来では、医師は、自身が所望する医用画像を再度、医用画像診断装置１０にて選択する必要があった。
【００５８】
しかし、本実施例では、格納制御部３０ｅの制御により、例えば、図５に示すような医用画像データが医用画像データベース２０ａに格納されている。したがって、超音波診断装置である医用画像診断装置１０の操作者が「患者ＩＤ：０００１、検査ＩＤ：検査３」または「患者ＩＤ：０００１、検査日：リスト作成日」を入力することで、図５に示す「検査ＩＤ：検査３」の医用画像群（超音波画像３およびＸ線ＣＴ画像１）のみが、表示制御部１０ｄの制御により表示部１０ｂにて一覧表示される。
【００５９】
また、格納制御部３０ｅの制御により、例えば、図６に示すような医用画像データが医用画像データベース２０ａに格納されている場合であるならば、以下に説明するように、医師は、「患者ＩＤ：０００１」のみを入力するだけでリストに登録された所望の医用画像群を参照することができる。
【００６０】
具体的には、医用画像診断装置１０には、入力部１０ａに「リスト表示ボタン」が設置される。そして、操作者が「患者ＩＤ：０００１」を入力したうえで「リスト表示ボタン」を押下すると、表示制御部１０ｄは、「患者ＩＤ：０００１」とともに「リストＩＤ」が付帯情報に含まれる医用画像データのみを転送するように、通信部１０ｃを介して医用画像保管装置２０に要求する。かかる処理により、図６に示す「リストＩＤ：検査３」が付帯情報に含まれる医用画像群（超音波画像３およびＸ線ＣＴ画像１）のみが、表示制御部１０ｄの制御により表示部１０ｂにて一覧表示される。
【００６１】
図８は、表示制御部を説明するための図である。かかる表示制御部１０ｄの制御により、例えば、図８に示すように、「患者ＩＤ：０００１」の患者を撮影したリアルタイムの超音波画像とともに、過去画像である超音波画像３およびＸ線ＣＴ画像１が表示部１０ｂにて一覧表示される。なお、入力される情報は、患者ＩＤの代わりに患者氏名である場合であってもよい。
【００６２】
次に、図９および１０を用いて、本実施例に係る医用画像管理システムの処理について説明する。図９は、本実施例に係る画像表示装置の処理を説明するためのフローチャートであり、図１０は、本実施例に係る医用画像診断装置の処理を説明するためのフローチャートである。
【００６３】
まず、図９を用いて、本実施例に係る画像表示装置３０の処理を説明する。なお、図９では、治療計画立案の対象となる患者が過去に受けた検査にて収集された医用画像が表示された後の処理について説明する。
【００６４】
図９に示すように、本実施例に係る画像表示装置３０は、医用画像保管装置２０から読み出した同一患者の複数の医用画像を参照する操作者により医用画像群が指定されたか否かを判定する（ステップＳ１０１）。ここで、医用画像群が指定されない場合（ステップＳ１０１否定）、画像表示装置３０は、待機状態となる。
【００６５】
一方、医用画像群が指定された場合（ステップＳ１０１肯定）、リスト作成部３０ｄは、医用画像保管装置２０から読み出した同一患者の複数の医用画像のうち、医師により指定された医用画像群を関連付けたリストを作成する（ステップＳ１０２）。
【００６６】
そして、格納制御部３０ｅは、リスト作成部３０ｄによって作成されたリストに基づくデータを医用画像保管装置２０の医用画像データベース２０ａに格納するように制御し（ステップＳ１０３）、処理を終了する。
【００６７】
続いて、図１０を用いて、本実施例に係る医用画像診断装置１０の処理について説明する。なお、図１０は、医用画像診断装置１０を用いた治療が行なわれる場合に実行される処理の一例を説明するものである。具体的には、図１０は、ステップＳ１０３にて格納制御部３０ｅが実行した処理により、図５に示すような医用画像データが医用画像データベース２０ａに格納された場合を説明するものである。
【００６８】
図１０に示すように、本実施例に係る医用画像診断装置１０は、操作者から入力部１０ａを介して患者ＩＤおよび検査日を受け付けたか否かを判定する（ステップＳ２０１）。ここで、患者ＩＤおよび検査日を受け付けない場合（ステップＳ２０１否定）、医用画像診断装置１０は、待機状態となる。
【００６９】
一方、患者ＩＤおよび検査日を受け付けた場合（ステップＳ２０１肯定）、通信部１０ｃは、表示制御部１０ｄの制御により、受け付けた患者ＩＤおよび検査日に対応する医用画像群の転送要求を医用画像保管装置２０に送信し（ステップＳ２０２）、医用画像群を受信したか否かを判定する（ステップＳ２０３）。ここで、医用画像群を受信しない場合（ステップＳ２０３否定）、通信部１０ｃは、待機状態となる。
【００７０】
一方、医用画像群を受信した場合（ステップＳ２０３肯定）、表示制御部１０ｄは、受信した医用画像群を一覧表示するように制御し（ステップＳ２０４）、処理を終了する。
【００７１】
なお、ステップＳ２０１にて受け付けられる情報は、「患者ＩＤ、検査日」、「患者氏名、検査ＩＤ」、または「患者氏名、検査日」であってもよい。
【００７２】
また、ステップＳ１０３にて格納制御部３０ｅが実行した処理により、図６に示すような医用画像データが医用画像データベース２０ａに格納された場合であるならば、ステップＳ２０１にて受け付けられる情報は、「患者ＩＤ、リスト表示ボタンの押下」や「患者氏名、リスト表示ボタンの押下」となる。かかる場合、通信部１０ｃは、ステップＳ２０２において、表示制御部１０ｄの制御により、リストＩＤが付帯情報に含まれる同一患者の医用画像群の転送要求を行なう。
【００７３】
上述したように、実施例１では、医用画像管理システムに設置される画像表示装置３０において、リスト作成部３０ｄは、医用画像保管装置２０から読み出した同一患者の複数の医用画像のうち、医師により指定された医用画像群を関連付けたリストを作成する。そして、格納制御部３０ｅは、リスト作成部３０ｄによって作成されたリストに基づく医用画像データを医用画像保管装置２０の医用画像データベース２０ａに格納するように制御する。
【００７４】
したがって、本実施例によれば、リストに基づく医用画像データが格納されるので、リストに登録された医用画像群を、リストに記載された検査ＩＤや検査日などを用いて検索することができるので、医師が所望する医用画像の検索を容易することが可能となる。
【００７５】
また、医用画像管理システムに設置される医用画像診断装置１０において、表示制御部１０ｄは、格納制御部３０ｅの制御により医用画像データベース２０ａに格納されたリストに基づく医用画像データにより対応付けられる医用画像群を表示部１０ｂにて一覧表示するように制御する。したがって、本実施例によれば、医師が所望する医用画像の一覧表示を迅速に行なうことが可能となる。
【００７６】
なお、医用画像診断装置１０にてリストに登録された医用画像群を一覧表示する方法は、上記したように医用画像診断装置１０を用いた操作に限定されるものではない。例えば、画像表示装置３０において、リストに登録された医用画像群を、リストに記載された情報を検索キーとして医用画像データベース２０ａから読み出した後に、ネットワーク１を介して、読み出した医用画像群を医用画像診断装置１０に転送する場合であってもよい。また、かかる処理に用いられる画像表示装置３０は、リスト作成を行なった装置に限定されるものではなく、ネットワーク１に接続される他の画像表示装置３０であってもよい。また、医用画像診断装置１０にてリストに登録された医用画像群を一覧表示する方法は、画像表示装置３０が読み出した医用画像群をＣＤなどの記録媒体に記録した後に、当該記録媒体を医用画像診断装置１０に読込ませる場合であってもよい。
【００７７】
なお、上述した実施例では、リスト作成、格納制御を画像表示装置３０にて行ない、医師が所望する医用画像群の一覧表示を医用画像診断装置１０にて行なう場合について説明したが、本発明はこれに限定されるものではない。具体的には、本発明は、画像表示装置３０において、リスト作成、格納制御とともに、医用画像群の一覧表示を行なう場合であってもよい。例えば、治療に用いられる医用画像診断装置１０の画像メモリの記憶容量が充分でない場合などでは、かかる画像表示装置３０を手術室に設置することで、医師が所望する過去の検査画像を一覧表示することができる。
【００７８】
また、本発明は、医用画像診断装置１０において、医師が所望する医用画像群を一覧表示するために、画像表示装置３０が行なっていたリスト作成および格納制御が実行される場合であってもよい。かかる医用画像診断装置１０をネットワーク１に複数台接続することで、医用画像診断装置１０の間でリスト作成、格納制御および医用画像群の一覧表示を、分担して行なうことが可能となる。
【産業上の利用可能性】
【００７９】
以上のように、本発明に係る医用画像管理システム、画像表示装置および医用画像診断装置は、医用画像を管理する場合に有用であり、特に、医師が所望する医用画像の検索を容易することに適する。
【符号の説明】
【００８０】
１  ネットワーク
１０  医用画像診断装置
１０ａ  入力部
１０ｂ  表示部
１０ｃ  通信部
１０ｄ  表示制御部
２０  医用画像保管装置
２０ａ  医用画像データベース
３０  画像表示装置
３０ａ  入力部
３０ｂ  表示部
３０ｃ  通信部
３０ｄ  リスト作成部
３０ｅ  格納制御部
【図１】
2011254907.tif 000003
【図２】
2011254907.tif 000004
【図３】
2011254907.tif 000005
【図４】
2011254907.tif 000006
【図５】
2011254907.tif 000007
【図６】
2011254907.tif 000008
【図７】
2011254907.tif 000009
【図８】
2011254907.tif 000010
【図９】
2011254907.tif 000011
【図１０】
2011254907.tif 000012